(57)【要約】【課題】  この発明は、可視光通信で送信された情報を受信して表示することを目的としている。【解決手段】  可視光通信で出力された可視光を受信し、この可視光を電力に変換して出力する可視光受信部と、可視光受信部から出力された電力が供給され、可視光通信で出力された情報を受信する情報受信部と、可視光受信部から出力された電力が供給され、前記受信された情報を映像情報に変換する情報制御部と、可視光受信部から出力された電力が供給され、前記変換された映像情報を表示する情報表示部と、前記可視光受信部、前記情報受信部、前記情報制御部、前記情報表示部を構成する照明カバーを備え、この照明カバーは前記可視光通信で出力された可視光および情報を受信するために任意の場所に取り付け可能に構成された照明カバー取付け部を備えるように構成している。【選択図】      図１
2008061013.tif 000002
【特許請求の範囲】
【請求項１】
可視光通信で送信された情報を受信し、受信した情報を表示する情報表示装置において、
可視光通信で出力された可視光を受信し、この可視光を電力に変換して出力する可視光受信部と、
前記可視光受信部から出力された電力が供給され、可視光通信で出力された情報を受信する情報受信部と、
前記可視光受信部から出力された電力が供給され、前記受信された情報を映像情報に変換する情報制御部と、
前記可視光受信部から出力された電力が供給され、前記変換された映像情報を表示する情報表示部と、
前記可視光受信部、前記情報受信部、前記情報制御部、前記情報表示部を構成する照明カバーを備え、この照明カバーは前記可視光通信で出力された可視光および情報を受信するために任意の場所に取り付け可能に構成された照明カバー取付け部を備えることを特徴とする情報表示装置。
【請求項２】
可視光通信で送信された情報を受信し、受信した情報を表示する照明装置において、
外部から可視光通信で送信された信号を受信し、可視光および情報を出力する照明部と、
前記照明部から出力された可視光を受信し、この可視光を電力に変換して出力する可視光受信部と、
前記可視光受信部から出力された電力が供給され、可視光通信で出力された情報を受信する情報受信部と、
前記可視光受信部から出力された電力が供給され、前記受信された情報を映像情報に変換する情報制御部と、
前記可視光受信部から出力された電力が供給され、前記変換された映像情報を表示する情報表示部と、
前記可視光受信部、前記情報受信部、前記情報制御部、前記情報表示部を構成する照明カバーを備え、この照明カバーは前記可視光通信で出力された可視光および情報を受信するために任意の場所に取り付け可能に構成された照明カバー取付け部を備えることを特徴とする照明装置。
【請求項３】
前記照明カバーは前記可視光受信部から出力された電力の一部を蓄積するための蓄電部をさらに備えることを特徴とする請求項１に記載の情報表示装置または請求項２に記載の照明装置。
【請求項４】
可視光通信で送信された情報を受信し、受信した情報を表示する情報表示方法において、
可視光通信で出力された可視光を受信し、この可視光を電力に変換して出力するステップと、
前記可視光受信部から出力された電力が供給され、可視光通信で出力された情報を受信するステップと、
前記可視光受信部から出力された電力が供給され、前記受信された情報を映像情報に変換するステップと、
前記可視光受信部から出力された電力が供給され、前記変換された映像情報を表示するステップを備えることを特徴とする情報表示方法。
【発明の詳細な説明】
【技術分野】
【０００１】
この発明は、可視光通信で送信された情報を受信して表示する情報表示装置に関する。またこの発明は情報表示装置を備える照明装置に関する。
【背景技術】
【０００２】
現在、液晶表示装置が情報表示装置の一つとして一般に用いられている。
特許文献１には液晶表示装置が冷陰極線管をバックライトとして後方より照射され、冷陰極線管の近傍に太陽電池が配設されて冷陰極線管からの光を受けて発電する技術が開示されている。
【０００３】
しかしながら、この特許文献１では可視光通信で送信された情報を受信して表示することは開示されていない。また、可視光および情報の受信状態を良好にするために照明カバー任意の場所に取り付け可能に構成することは開示されていない。
【特許文献１】特開２００1−142067号公報
【発明の開示】
【発明が解決しようとする課題】
【０００４】
そこで、この発明は、上記事情を考慮してなされたもので、可視光通信で送信された情報を受信して表示することを目的とする。また、可視光および情報の受信状態を良好にするために照明カバー任意の場所に取り付け可能に構成することを目的とする。
【課題を解決するための手段】
【０００５】
この発明に係る情報表示装置は、可視光通信で出力された可視光を受信し、この可視光を電力に変換して出力する可視光受信部と、可視光受信部から出力された電力が供給され、可視光通信で出力された情報を受信する情報受信部と、可視光受信部から出力された電力が供給され、前記受信された情報を映像情報に変換する情報制御部と、可視光受信部から出力された電力が供給され、前記変換された映像情報を表示する情報表示部と、前記可視光受信部、前記情報受信部、前記情報制御部、前記情報表示部を構成する照明カバーを備え、この照明カバーは前記可視光通信で出力された可視光および情報を受信するために任意の場所に取り付け可能に構成された照明カバー取付け部を備えるように構成している。
【０００６】
また、この発明に係る照明装置は、外部から可視光通信で送信された信号を受信し、可視光および情報を出力する照明部と、照明部から出力された可視光を受信し、この可視光を電力に変換して出力する可視光受信部と、可視光受信部から出力された電力が供給され、可視光通信で出力された情報を受信する情報受信部と、可視光受信部から出力された電力が供給され、前記受信された情報を映像情報に変換する情報制御部と、可視光受信部から出力された電力が供給され、前記変換された映像情報を表示する情報表示部と、前記可視光受信部、前記情報受信部、前記情報制御部、前記情報表示部を構成する照明カバーを備え、この照明カバーは前記可視光通信で出力された可視光および情報を受信するために任意の場所に取り付け可能に構成された照明カバー取付け部を備えるように構成している。
【０００７】
また、この発明に係る情報表示方法は、可視光通信で出力された可視光を受信し、この可視光を電力に変換して出力するステップと、可視光受信部から出力された電力が供給され、可視光通信で出力された情報を受信するステップと、可視光受信部から出力された電力が供給され、前記受信された情報を映像情報に変換するステップと、可視光受信部から出力された電力が供給され、前記変換された映像情報を表示するステップを備えるように構成している。
【発明の効果】
【０００８】
上記した構成によれば、可視光通信で送信された情報を受信して表示することが可能となる。また、可視光および情報の受信状態を良好にするために照明カバーを任意の場所に取り付け可能に構成することが可能となる。
【発明を実施するための最良の形態】
【０００９】
まず、可視光受信について説明する。
可視光受信とは、人間の目に見える可視光を使った通信技術である。LED（Light Emitting Diode）などの可視光素子の点滅を通信に利用することにより、例えば、スポットライトで音楽情報を送信することが可能となる。また、信号機の光から交通情報を取得することが可能となる。
【００１０】
尚、可視光通信については「可視光通信の世界」（出版社：株式会社工業調査会、監修：中川 正雄、編者：可視光通信コンソーシアム）が出版されている。また、次のWEBサイトでも可視光通信に関する記述を確認できる（http://www.vlcc.net/about.html）。
【００１１】
以下、図面を参照してこの発明の実施の形態を説明する。
図１はこの発明の実施の形態に係る情報表示装置の構成を示す斜視図である。
符号１は照明カバー、符号２は制御装置、符号３は充電池、符号４は液晶表示部、符号５は可視光受信部（太陽電池等）、符号１０はカバー取付け部、符号１１は照明および可視光通信送信部（ＬＥＤ等）、符号１２は照明取付け部、符号２０は情報受信部である。
【００１２】
この発明の実施の形態に係る情報表示装置は照明取付け部１２を介して、図示しない可視光通信送信部と電気的に接続されている（無線接続でも良い）。そして、可視光通信送信部から送信された情報を受信し、この情報を液晶表示部４に表示する。
【００１３】
照明および可視光通信送信部１１は例えばＬＥＤ等で構成されている。そして、上記可視光通信送信部から送信された光情報および可視光通信に係る情報を受信し、可視光素子（ＬＥＤ）の点滅を行うことによって可視光（光）および可視光通信に係る情報（以下情報）を出力する。
【００１４】
カバー取付け部１０は上記可視光および情報の受信状態を良好にするために、任意の場所に取り付け可能となるように構成されている。例えば、クリップで取り付ける構成でも良い。ここでは、照明カバー１には、カバー取付け部１０が構成されており、これによって例えば、照明および可視光通信送信部１１に取付けられている。
【００１５】
また、照明カバー１には、制御装置２、充電池３、液晶表示部４、可視光受信部５（図２で説明）、照明および可視光通信送信部（ＬＥＤ等）１１、情報受信部２０が構成されている。
【００１６】
可視光受信部５は例えば、太陽電池等で構成される。そして、照明および可視光通信送信部（ＬＥＤ等）１１から出力された可視光を受信し、この可視光を電力に変換して出力する。
【００１７】
情報受信部２０にはこの可視光受信部５から出力された電力が供給される。そして、この電力を用いて動作し、可視光通信で出力された情報を受信する。
情報制御部（制御装置）２にも、この可視光受信部５から出力された電力が供給される。情報制御部（制御装置）２は例えばＣＰＵ等で構成される。そして、情報制御部（制御装置）２はこの電力を用いて動作し、受信された情報を映像情報に変換して出力する。
【００１８】
情報表示部（液晶表示部）４にも可視光受信部５から出力された電力が供給される。情報表示部（液晶表示部）４はこの電力を用いて動作することが望ましい。情報表示部（液晶表示部）４は情報制御部（制御装置）２から出力された映像情報を表示する。
【００１９】
すなわち、ここでは、照明カバー１は、太陽電池等で構成され可視光を受信する可視光受信部５（図２で説明）、可視光の点滅等で送信される可視光通信を受信する情報受信部２０、充電池３、液晶表示部４、可視光受信部５を制御する情報制御部（制御装置）２、情報を表示する情報表示部を備えている。また、この照明カバー１は照明および可視光通信送信部（ＬＥＤ等）１１から出力された可視光および情報を受信するために、任意の場所に取り付け可能に構成されている。
【００２０】
図２はこの発明の実施の形態に係る情報表示装置の構成を示す上面図である。
ここでは可視光受信部５を示している。
可視光受信部５はここでは、照明カバー１の底部に設けられている。また、同じ底部に、制御装置２、充電池３、液晶表示部４、情報受信部２０が設けられている。そして、可視光受信部５は電気的に制御装置２、充電池３、液晶表示部４、情報受信部２０に接続されており、可視光受信部（太陽電池）５から出力された電力が供給される。
【００２１】
蓄電部（充電池３）は可視光受信部５から出力された電力の一部が供給され、これを蓄積する。ここに蓄積された電力は適宜、制御装置２、液晶表示部４、情報受信部２０に供給される。
【００２２】
尚、ここでは可視光受信部５は曲線状に構成され、照明カバー１の底部に設けられているが、照明および可視光通信送信部（ＬＥＤ等）１１から出力された可視光を受信可能な構成であれば、例えば照明カバー１の側部に面上に設けられる等、種々変形は可能である。
【００２３】
図３はこの発明の他の実施の形態に係る情報表示装置の構成を示す図である。
ここでは、照明カバー１は円筒上に構成されている。そして、液晶表示部４は円筒状の照明カバー１の底部に設けられ、照明カバー１の外側に対して上記可視光通信から得られた情報を表示している。ここで表示されているのは時刻情報である。また、照明および可視光通信送信部（ＬＥＤ等）１１は曲折可能に構成されているが、この発明の実施の形態に係る照明カバー１はこの曲折部に影響されない部分にカバー取付け部１０を取付けることによって、照明および可視光通信送信部（ＬＥＤ等）１１から出力された可視光および情報の受信を向上させることが可能となる。
【００２４】
図４はこの発明の他の実施の形態に係る情報表示装置の構成を示す図である。
ここでは、照明カバー１は円錐上に構成されている。そして、液晶表示部４は円錐状の照明カバー１の底部に設けられ、照明カバー１の外側に対して上記可視光通信から得られた情報を表示している。ここで表示されているのは気象情報である。また、ここでも可視光受信部５は曲線状に構成され、照明カバー１の底部に設けられている（図示せず）。しかし、上記と同様に照明および可視光通信送信部（ＬＥＤ等）１１から出力された可視光を受信可能な構成であれば、例えば照明カバー１の側部に面上に設けられる等、種々変形は可能である。
【００２５】
上記のように構成することによって、この発明の実施の形態においては、可視光通信で送信された情報を受信して表示することが可能となる。また、可視光および情報の受信状態を良好にするために照明カバーを任意の場所に取り付け可能に構成することが可能となる。
【００２６】
なお、この発明は上記した実施の形態そのままに限定されるものではなく、実施段階ではその趣旨を逸脱しない範囲で構成要素を種々変形して具体化することが可能である。
【図面の簡単な説明】
【００２７】
【図１】この発明の実施の形態に係る情報表示装置の構成を示す斜視図。
【図２】この発明の実施の形態に係る情報表示装置の構成を示す上面図。
【図３】この発明の他の実施の形態に係る情報表示装置の構成を示す図。
【図４】この発明の他の実施の形態に係る情報表示装置の構成を示す図。
【符号の説明】
【００２８】
１…照明カバー、２…制御装置、３…充電池、４…液晶表示部、５…可視光受信部（太陽電池等）、１０…カバー取付け部、１１…照明および可視光通信送信部（ＬＥＤ等）、１２…照明取付け部、２０…情報受信部。
【図１】
2008061013.tif 000003
【図２】
2008061013.tif 000004
【図３】
2008061013.tif 000005
【図４】
2008061013.tif 000006